(57)【特許請求の範囲】
【請求項１】
触媒ハウジングを製造するための方法に関し、その際、膨張マット（３）を巻回された触媒中心部分（２）が、ハウジングジャケット（１）によって巻回され、あるいはシートバーから予め巻回されたハウジングジャケット（１）内へと挿入される様式の上記の製造方法において、
このハウジングジャケット（１）と、巻回されたまたは挿入された膨張マット（３）が、引き続いて緊締ベルト（４）によって予緊締され、且つハウジングジャケット（１）が予緊締の間じゅう、膨張マット（３）の装着を実現する、直接的なあるいは間接的な打叩きによって、２０から８０Ｈｚまでの予め定められた周波数でもって付勢されることを特徴とする方法。
【請求項２】
打叩き周波数が、４０から５０Ｈｚまでの値であることを特徴とする請求項１に記載の方法。
【請求項３】
打叩き工程が、５秒の長さで実施されることを特徴とする請求項１または２に記載の方法。
【請求項４】
膨張マット（３）は、この膨張マットの部分的な重なり合いが、ハウジングジャケット（１）の部分的な重なり合いに対して１８０°位置をずらして設けられているようにハウジングジャケット（１）内へと挿入されることを特徴とする請求項１から３のいずれか一つに記載の方法。
【請求項５】
ハウジングジャケット（１）を予緊締するための張力が、打叩き工程の終期にかけて高められることを特徴とする請求項１から４のいずれか一つに記載の方法。
【請求項６】
張力が、打叩き工程の終期にかけて１０から３０ｋＮに高められることを特徴とする請求項５に記載の方法。
【請求項７】
ハウジングジャケット（１）は、予緊締の後に点溶接を用いて綴じ合わされることを特徴とする請求項１から６のいずれか一つに記載の方法。
【請求項８】
綴じ合わされたハウジングジャケット（１）に、端面側に円錐部（６）が円周継ぎ目（７）を用いて溶接され、且つこの綴じ合わされたハウジングジャケット（１）の部分的な重なりは、円錐部（６）の溶接の後に初めて、長手継ぎ目（８）の状態で完全に溶接して一体化されることを特徴とする請求項７に記載の方法。
【発明の詳細な説明】
【０００１】
本発明は、請求項１の上位概念による、触媒ハウジングを製造するための方法に関する。
【０００２】
モノリス、即ちセラミック担持体を用いて触媒装置を仕上げるために、触媒ハウジング内のモノリスを機械的な応力に対して保護することが必要である。このことは一般的に、いわゆる機械的な触媒ハウジングに対してモノリスを解離する膨張マットまたは膨潤マットによって行われる。
【０００３】
燃焼原動機、特に自動車の排気ガス装置において触媒装置を結合するために使用される触媒ハウジングは、多様な実施の形態があり、その際、２つのシステムが、市場において価値を認められている。第１のシステムによれば、触媒作用に有効な材料で被覆されたモノリス（特にセラミック構造様式）は、このモノリスを支承する働きをする膨張マットにより巻回されている。この膨張マットは、このモノリスと共に、同様に巻回方法を用いて形成され且つこの膨張マットと共にモノリスを定位置に保持する働きをする金属薄板ジャケット内に、挿入される。この予緊締された金属薄板ジャケットは、引き続いて個別の位置において点溶接を用いて綴じ合わされる。端面側には、入口円錐部および出口円錐部が取付けられ、これら円錐部は、要求（排気管を結合する）に応じて適合されている。この結合は、巻回されたコンバーターにおいて、円周継ぎ目溶接を用いて行われる。継ぎ目溶接による金属薄板ジャケットの密閉の後、仕上げられた巻回コンバーターが得られる。
【０００４】
例えばヨーロッパ特許公開０  ８１８  ６１５号明細書に記載されているこのような巻回技術および緊締技術を用いた触媒ハウジングを製造するための方法は、基本的に有用であることが実証されており、しかしながらこの方法は、膨張マットを用いたモノリスの確実な固定に関して、ハウジングジャケットの内で更なる改善が必要である。
【０００５】
第２、の市場において価値を認められているシステムが、シェルコンバーターとして公知であり、このシェルコンバーターは、モノリス、別個の膨張マット、および２つの半シェル即ち上部シェルおよび下部シェルから構成されている。しかしながら度々、シェルコンバーターの場合、不十分なプロセス信頼性が与えられる。更に、シェル形状によって定められている幾何学的形状も、自動車の床裏面部における適合の際に困難性を度々もたらす。
【０００６】
そこで、本発明の根底をなす課題は、巻回技術および緊締技術を用いた触媒ハウジングを製造するための方法を提供することであり、この技術によって、触媒中心部分、特にモノリスが、とりわけ確実なおよび耐久性のある方法でハウジングジャケット内に固定され、且つこれに伴って、触媒装置の耐久性がこの触媒装置の運転時間のあいだ保証される。
【０００７】
この課題は本発明に従い、請求項１の特徴によって解決される。本発明の有利な実施の形態は、他の請求項において記載されている。
【０００８】
本発明による方法は、このハウジングジャケットが、引き続いて緊締ベルトによって予緊締され、且つ予緊締の間じゅう、膨張マットの装着を実現する、直接的なあるいは間接的な打叩きによって２０から８０Ｈｚまでの予め定められた周波数でもって付勢されることを特徴とする。
【０００９】
２０から８０Ｈｚまでの、特に有利な実施の形態に従って４０から５０Ｈｚまでの範囲における打叩き周波数でもって例えば５秒の長さで実施されるこの打叩きによって、膨張マットの装着は、ハウジングジャケットの緊締の際に緊締ベルトを用いて基本的に比較的効果的な方法によって行われ、これによってモノリスの完全に強固な座りが、ハウジングジャケット内で触媒装置の全耐用年数の間じゅう保証される。
【００１０】
本発明の有利な実施の形態により、膨張マットは、この膨張マットの部分的な重なり合いが、ハウジングジャケットの部分的な重なり合いに対してほぼ１８０°位置ずらして設けられているようにこのハウジングジャケット内へと挿入される。これによって、両方の部分的な重なり合いが重なり合って位置するに至り、これによって膨張マットまたはハウジングジャケットの引締めが損なわれることは、確かに阻止される。
【００１１】
特に有利な実施の形態は、ハウジングジャケットを予緊締するための張力が、打叩き工程の終期にかけて１０から３０ｋＮに、特に２０ｋＮに高められることによって特徴付けられる。同時の打叩きを伴うこの様式の動力制御されたハウジングジャケットの緊締は、特に効果的な方法によって、膨張マットの装着および強固な覆いを実現する。
【００１２】
有利な実施の形態により、ハウジングジャケットは、予緊締の後に点溶接を用いて綴じ合わされる。綴じ合わされたこのハウジングジャケットに、端面側に円錐部が円周継ぎ目を用いて溶接され、その際、このハウジングジャケットの部分的な重なりは、円錐部の溶接の後に初めて、長手継ぎ目の状態で完全に溶接して一体化される。このようにして、このハウジングジャケットは、非常に迅速な、寸法の正確な、且つコストの安い方法によって製造され得る。
【００１３】
次に、図を参照して本発明を例示的に詳しく説明する。図１から金属薄板から成るハウジングジャケット１が、見て取れ、このハウジングジャケットは、これらの端部が部分的に重なるように、シートバーから円筒形に巻回されている。
【００１４】
更に、図２から明らかなように、円筒形のセラミック担持体の様式のモノリス２は、膨張マット３によって巻回されている。これらの巻回された膨張マット３の端部は、同様に互いに部分的に重なる。
【００１５】
引き続いて、膨張マット３を巻回されたモノリス２は、図３から明らかなように、巻回されたハウジングジャケット１内へと挿入される。その際に、この挿入は、この膨張マットの部分的な重なり合いの状態が、ハウジングジャケットの部分的な重なり合いに対してほぼ１８０°位置ずれして設けられているのように行われる。
【００１６】
特別の装置において、ハウジングジャケット１、およびこれに伴って同様に内部にある膨張マット３は、緊締ベルト４を用いて予緊締され、その際、例えば５秒のあいだ、例えば４５Ｈｚの周波数を有する打叩きによって、膨張マット３の装着は、保証される。同時に、モノリス２の固着を保証するために、力は、打叩き工程の終期にかけて例えば２０ｋＮの大きさにまで高められる。
【００１７】
図４において図示された実施例の場合、ハウジングジャケット１および膨張マット３の部分的な重なり合いは、その都度、図４において水平面である緊締中立面に対して９０°だけ位置ずれされており、この水平面が、モノリス２の中心を通って、および緊締ベルト４の交点を通って指向している。しかしながら別に、ハウジングジャケット１を、図５から明らかなように、ハウジングジャケット１および膨張マット３の部分的な重なり合いがこの水平の緊締中立面内にあるように、緊締ベルト４の内側に設けることも可能である。
【００１８】
引き続いて、上記のように予緊締されたハウジングジャケット１は、図６から明らかなように、端面側の点溶接５によって綴じ合わせされる。
【００１９】
引き続いて、このようにして準備された触媒ハウジングは、溶接機内へと装填され、図７から明らかなように端面側に円錐部６を取付けられる。その次のプロセスステップにおいて、これら円錐部６は、円周継ぎ目７を用いてハウジングジャケット１に溶接され、このことは、例えばＭＡＧ溶接を用いて行われる。引き続いて、ハウジングジャケット１の綴じ合わされた部分的な重なり合いは、長手継ぎ目８を用いて、完全に溶接して一体化され、従って触媒装置が完成される。
【図面の簡単な説明】
【図１】  巻回工程の後の、ハウジングジャケットの概略の端面図である。
【図２】  膨張マット内に包まれたモノリスの概略の端面図である。
【図３】  図１および図２の対象物の組立図である。
【図４】  ハウジングジャケットが予緊締される、緊締工程の概略の図である。
【図５】  別の実施例の、ハウジングジャケットのための、緊締方法の概略の図である。
【図６】  緊締工程の後の、点溶接されたハウジングジャケットの概略の側面図である。
【図７】  端面側の円錐部の取付けの後の、完成した触媒ハウジングの概略の側面図である。
【図１】
0004430825.tif 000002
【図２】
0004430825.tif 000003
【図３】
0004430825.tif 000004
【図４】
0004430825.tif 000005
【図５】
0004430825.tif 000006
【図６】
0004430825.tif 000007
【図７】
0004430825.tif 000008